(57)【要約】【課題】  容器の加熱効率を高めることができる発熱体を提供することである。【解決手段】  本発明の発熱体１は、電磁誘導式コンロ上の容器５０内に収容されてコイルの電磁誘導により発熱する発熱体１であって、発熱体１は磁性体でできた環状であり且つ中央に対流促進孔３を形成しており、発熱体１の下面には外周側から内周側に向けて厚さが次第に薄くなる傾斜部９を設けており、発熱体１の下面で発生した熱で加熱された流体が傾斜部９に沿って移動して、対流促進孔３から流体が吹き出している。【選択図】      図１
0003106105.tif 000002
【実用新案登録請求の範囲】
【請求項１】
電磁誘導式コンロ上の容器内に収容されてコイルの電磁誘導により発熱する発熱体であって、発熱体は磁性体でできた環状であり且つ中央に対流促進孔を形成しており、発熱体の下面には外周側から内周側に向けて厚さが次第に薄くなる傾斜部が設けられていることを特徴とする発熱体。
【請求項２】
発熱体は表面に凹凸を形成していることを特徴とする請求項１に記載の発熱体。
【請求項３】
電磁誘導式コンロ上の容器内に収容されてコイルの電磁誘導により発熱する発熱体であって、発熱体は磁性体でできた円盤状であり且つ複数の対流促進孔を形成してあることを特徴とする発熱体。
【請求項４】
発熱体は下面に脚部を備えることを特徴とする請求項３に記載の発熱体。
【請求項５】
発熱体は角度が調整可能な取っ手を備えることを特徴とする請求項２に記載の発熱体。
【考案の詳細な説明】
【技術分野】
【０００１】
本考案は、電磁誘導式コンロのコイルの電磁誘導により発熱する発熱体に関する。
【背景技術】
【０００２】
特許文献１に記載の従来技術では、磁性体でできた平板状の発熱体が開示されている。
【０００３】
【特許文献１】実開平５−９４１８号公報
【考案の開示】
【考案が解決しようとする課題】
【０００４】
しかし、特許文献１に記載の従来技術は、発熱体が平板状であるため、発熱体を容器内に入れた場合、発熱体の下面と容器の底面との間に隙間ができ難い。そのため、発熱体と容器内の流体との接触部分が発熱体の上面に限られ、流体が加熱され難いという問題があった。
【０００５】
本考案は、容器の加熱効率を高めることができる発熱体を提供することを目的とする。
【課題を解決するための手段】
【０００６】
前記課題を解決するために、請求項１に記載された考案は、電磁誘導式コンロ上の容器内に収容されてコイルの電磁誘導により発熱する発熱体であって、発熱体は磁性体でできた環状であり且つ中央に対流促進孔を形成しており、発熱体の下面には外周側から内周側に向けて厚さが次第に薄くなる傾斜部が設けられていることを特徴とする。
【０００７】
請求項２に記載された考案は、請求項１に記載の考案において、発熱体は表面に凹凸を形成していることを特徴とする。
【０００８】
請求項３に記載された考案は、電磁誘導式コンロ上の容器内に収容されてコイルの電磁誘導により発熱する発熱体であって、発熱体は磁性体でできた円盤状であり且つ複数の対流促進孔を形成してあることを特徴とする。
【０００９】
請求項４に記載された考案は、請求項３に記載の考案において、発熱体は下面に脚部を備えることを特徴とする。
【００１０】
請求項５に記載された考案は、請求項２に記載の考案において、発熱体は角度が調整可能な取っ手を備えることを特徴とする。
【考案の効果】
【００１１】
請求項１に記載の考案によれば、コイルの電磁誘導により発熱体が発熱し、その発熱した熱により容器内が加熱される。このとき、発熱体の下面で発生した熱で加熱された流体は下面の傾斜部に沿って移動し、対流促進孔から流体が吹き出すことにより、容器内の下側から上側に向けて対流が生成される。
【００１２】
発熱体の下面で発生した熱で加熱された流体が下面の傾斜に沿って移動して、対流促進孔から容器内に向けて吹き出すので、容器内での流体の対流が促進され、加熱効率を高めることができる。
【００１３】
また、発熱体の下面が外周側から内周側に向けて厚さが薄くなる傾斜部が設けられているので、容器の底面と発熱体の下面との間に空間を設けることができ、発熱体の表面積を広くして、容器の加熱効率を高めることができる。
【００１４】
請求項２に記載された考案によれば、請求項１に記載された考案と同様の効果が得られるとともに、発熱体は表面に凹凸を形成しているので、発熱体の表面積を大きくでき、加熱効率をさらに高めることができる。
【００１５】
請求項３に記載された考案によれば、コイルの電磁誘導により発熱体が発熱し、その発熱した熱により容器内が加熱される。発熱体の下面で発生した熱で加熱された流体が、複数の対流促進孔から容器内に向けて吹き出すので、容器内での対流を促進でき、容器の加熱効率を高めることができる。
【００１６】
発熱体は複数の対流促進孔を形成しているので、発熱体の表面積を大きくでき、加熱効率をさらに高めることができる。
【００１７】
請求項４に記載された考案によれば、請求項３に記載された考案と同様の効果が得られるとともに、発熱体は下面に脚部を取り付けているので、容器の底面と発熱体の下面との間の空間を設けることで発熱体の表面積を大きくでき、容器内の加熱効率を高めることができる。
【００１８】
請求項５に記載された考案によれば、請求項２に記載の考案と同様の効果が得られるとともに、発熱体に角度が調整可能な取っ手を設けてあるので、発熱体を容器に出し入れする際に、取っ手を持ち易い角度に調整でき、使い勝手が良い。
【考案を実施するための最良の形態】
【００１９】
以下に、添付図面を参照して、本考案の実施の形態を詳細に説明する。図１は第１実施の形態に係る発熱体が発熱して容器内が加熱される状態を示す縦断面図、図２は図１に示す発熱体の斜視図、図３は本実施の形態に係る発熱体を収容した容器を電磁誘導式コンロに載せた状態を示す全体斜視図である。
【００２０】
本考案の実施の形態に係る発熱体１は、電磁誘導式コンロ１００の耐熱ガラス等の非磁性体でできた容器５０内に収容して、コイル６０の電磁誘導により発熱して、容器５０内の液体を加熱するものである。
【００２１】
発熱体１は、鉄等の磁性体でできた環状であり、その中央に上下に貫通する断面円形状の対流促進孔３が設けられている。発熱体１の上面５は平坦面となっており、下面７は外周側から内周側に向けて厚みが次第に薄くなる傾斜部９となっている。尚、発熱体１の厚さは最大約１５ｍｍとしている。
【００２２】
次に、上記した構成に基づき、本実施の形態に係る作用を説明する。本実施の形態に係る発熱体１を使用する場合には、容器５０に平坦面が上向きになるように入れる。そして、容器５０内に水（液体）や食材料を入れ、電磁誘導式コンロ１００の電源をＯＮにする。電源をＯＮにすると、コイル６０の電磁誘導により発熱体１が加熱され、その熱により容器５０内の液体が加熱される。
【００２３】
このように、発熱体１の下面７が外周側から内周側に向けて厚さが薄くなるように傾斜しているので、容器５０と発熱体１の下面７との間に空間を設けることができ、液体と発熱体１との接触面積を広くとることができ、容器５０内の液体を効率良く加熱することができる。
【００２４】
また、発熱体１の下面７で発生した熱で加熱された液体が下面の傾斜に沿って移動して、対流促進孔３から吹き出して容器５０内を上昇するので、容器５０内での対流が促進され、容器５０内の液体を効率良く加熱することができる。
【００２５】
次に図４及び図５を用いて第２実施の形態について説明する。尚、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００２６】
本実施形態に係る発熱体１の表面に周方向に沿って凹凸を形成している点で第１実施の形態と異なる。このように、発熱体１の表面に凹凸を形成しているので、発熱体１の表面積を大きくすることができ、液体と発熱体１との接触面積を広くとることができ、加熱効率をさらに高めることができる。
【００２７】
発熱体１には取っ手１１が設けられている。発熱体１には取っ手１１の係止部１３が設けられており、取っ手１１は係止部１３に対して角度が調整可能になっている。このように、発熱体１に角度が調整可能な取っ手を設けてあるので、発熱体１を容器５０に出し入れする際に、取っ手１１を持ち易い角度に調整でき、使い勝手が良い。
【００２８】
次に図６を用いて第３実施の形態について説明する。第３実施の形態では、発熱体１は円盤状であり、中央に形成した対流促進孔３の周りに上下に貫通する複数の補助孔１５を形成している。補助孔１５は周方向に等間隔を開けて８つ設けている。尚、第３実施の形態では、発熱体１の下面７は平担面となっている。
【００２９】
このように、対流促進孔３の周りに補助孔１５を複数設けてあるので、発熱体１の下面７で発生した熱で加熱された液体が、対流促進孔３及び複数の補助孔１５から容器５０内に吹き出し、容器５０内での対流をさらに促進できる。
【００３０】
また、発熱体１の下面７には周方向に適宜間隔を開けて脚部１７を備えている。このように、発熱体１は下面７に脚部１５を取り付けているので、容器５０の底面５１と発熱体１の下面７との間の空間を広く設けることができ、発熱体１の下面７で発生した熱で液体を効率良く加熱できる。
【００３１】
なお、本考案は上述した実施の形態に限定されず、その要旨を逸脱しない範囲で種々の変形が可能である。
【００３２】
上述の実施の形態では、発熱体１は鉄としたが、ステンレスであっても良い。
【００３３】
容器５０は耐熱ガラスに限らず、陶磁器、銅、アルミニウムであっても良い。
【００３４】
第１実施の形態において、発熱体１に取っ手１１を設けてあっても良い。
【００３５】
第２実施の形態において、取っ手１１は発熱体１に角度を調整可能に設けられているが、これに限定されず、取っ手１１の先端に磁石を設けて、取っ手１１と発熱体１とが着脱自在であっても良い。
【００３６】
第１及び第２実施の形態において、発熱体１は容器５０の底に一体に固定されてあっても良い。
【図面の簡単な説明】
【００３７】
【図１】第１実施の形態に係る発熱体が発熱して容器内が加熱される状態を示す縦断面図である。
【図２】図１に示す発熱体の斜視図である。
【図３】本実施の形態に係る発熱体を収容した容器を電磁誘導式コンロに載せた状態を示す全体斜視図である。
【図４】第２実施の形態に係る発熱体の側面図である。
【図５】図４に示す発熱体の平面図である。
【図６】第３実施の形態に係る発熱体の斜視図である。
【符号の説明】
【００３８】
１      発熱体
３      対流促進孔
５      上面
７      下面
９      傾斜部
１１    取っ手
１７    脚部
【図１】
0003106105.tif 000003
【図２】
0003106105.tif 000004
【図３】
0003106105.tif 000005
【図４】
0003106105.tif 000006
【図５】
0003106105.tif 000007
【図６】
0003106105.tif 000008